(57)【要約】【課題】被検眼のライブスキャンにおける新規な態様を提案する。【解決手段】実施形態の眼科撮影装置において、データ取得部は、測定光の光路長を変更する第１光路長変更部と、被検眼からの測定光の戻り光と合成される参照光の光路長を変更する第２光路長変更部とを含み、第１走査線に沿う第１走査と、これと向きが異なる第２走査線に沿う第２走査とを交互に実行してデータを取得する。表示制御部は、第１走査により逐次に取得されるデータに基づく第１動画像と、第２走査により逐次に取得されるデータに基づく第２動画像とを、互いに識別可能に表示手段に表示させる。条件制御部は、被検眼の特定部位に対応する第１動画像上の位置および／または第２動画像上の位置を特定し、特定された位置に応じて第１光路長変更部および／または第２光路長変更部を制御する。【選択図】図３
2019177181.tif 000002
【特許請求の範囲】
【請求項１】
光コヒーレンストモグラフィを用いて被検眼を走査することにより断面像を取得する眼科撮影装置であって、
光コヒーレンストモグラフィのために前記被検眼に照射される測定光の光路長を変更する第１光路長変更部と、前記被検眼からの前記測定光の戻り光と合成される参照光の光路長を変更する第２光路長変更部とを含み、前記被検眼における第１走査線に沿う第１走査と、前記第１走査線と向きが異なる第２走査線に沿う第２走査とを交互に実行してデータを取得するデータ取得部と、
前記第１走査により逐次に取得されるデータに基づく第１動画像と、前記第２走査により逐次に取得されるデータに基づく第２動画像とを、互いに識別可能に表示手段に表示させる表示制御部と、
前記被検眼の特定部位に対応する前記第１動画像上の位置および／または前記第２動画像上の位置を特定し、特定された前記位置に応じて前記第１光路長変更部および／または前記第２光路長変更部を制御する条件制御部と
を備える眼科撮影装置。
【請求項２】
前記特定部位は、前記被検眼の眼底の表面および所定の層組織のいずれかである
ことを特徴とする請求項１に記載の眼科撮影装置。
【請求項３】
光コヒーレンストモグラフィを用いて被検眼を走査することにより断面像を取得する眼科撮影装置であって、
光コヒーレンストモグラフィのために前記被検眼に照射される測定光の光路長を変更する第１光路長変更部と、前記被検眼からの前記測定光の戻り光と合成される参照光の光路長を変更する第２光路長変更部とを含み、前記被検眼における第１走査線に沿う第１走査と、前記第１走査線と向きが異なる第２走査線に沿う第２走査とを交互に実行してデータを取得するデータ取得部と、
前記第１走査により逐次に取得されるデータに基づく第１動画像と、前記第２走査により逐次に取得されるデータに基づく第２動画像とを、互いに識別可能に表示手段に表示させる表示制御部と、
前記第１動画像上の位置および／または前記第２動画像上の位置を指定するための操作部と、
前記操作部を用いて指定された前記位置に応じて前記第１光路長変更部および／または前記第２光路長変更部を制御する条件制御部と
を備える眼科撮影装置。
【請求項４】
前記条件制御部は、前記位置を、前記第１動画像のフレームおよび／または前記第２動画像のフレームにおける所定の深さ位置に配置させるように、前記第１光路長変更部および／または第２光路長変更部の制御を行う
ことを特徴とする請求項１〜請求項３のいずれか一項に記載の眼科撮影装置。
【発明の詳細な説明】
【技術分野】
【０００１】
この発明は、眼科撮影装置に関する。
【背景技術】
【０００２】
眼科分野では、被検眼を撮影するための様々な装置が用いられる。近年では、眼底や前眼部の断面像や３次元画像を取得可能な光干渉断層計（ＯＣＴ）が注目を集めている。
【０００３】
特許文献１には、あらかじめ設定された２次元の計測範囲の中央部と対向する端部との断面像をリアルタイムで表示する技術が開示されている。この技術によれば、計測範囲の奥行き方向における撮影対象（網膜層）のずれを検出して任意に調整することが可能である。
【０００４】
なお、実質的に一定の断面を繰り返しＯＣＴスキャンして当該断面の動画像をリアルタイムで表示する技術は、ライブスキャンなどと呼ばれる。ライブスキャンは、計測領域の調整だけでなく、被検眼の動きの観察やスキャン位置の設定など様々な目的で利用される。
【先行技術文献】
【特許文献】
【０００５】
【特許文献１】特許第５５４３５３６号
【発明の概要】
【発明が解決しようとする課題】
【０００６】
特許文献１に開示された技術では、奥行き方向における計測位置の調整作業を容易化することはできるが、それに直交する方向における撮影位置の調整が考慮されていないという問題がある。
【０００７】
この発明の目的は、被検眼のライブスキャンの新規な態様を提案することにあり、特に、ＯＣＴによる計測範囲の３次元的なずれを容易に把握することが可能な技術を提供することにある。
【課題を解決するための手段】
【０００８】
実施形態の眼科撮影装置は、光コヒーレンストモグラフィを用いて被検眼を走査することにより断面像を取得する眼科撮影装置であって、光コヒーレンストモグラフィのために前記被検眼に照射される測定光の光路長を変更する第１光路長変更部と、前記被検眼からの前記測定光の戻り光と合成される参照光の光路長を変更する第２光路長変更部とを含み、前記被検眼における第１走査線に沿う第１走査と、前記第１走査線と向きが異なる第２走査線に沿う第２走査とを交互に実行してデータを取得するデータ取得部と、前記第１走査により逐次に取得されるデータに基づく第１動画像と、前記第２走査により逐次に取得されるデータに基づく第２動画像とを、互いに識別可能に表示手段に表示させる表示制御部と、前記被検眼の特定部位に対応する前記第１動画像上の位置および／または前記第２動画像上の位置を特定し、特定された前記位置に応じて前記第１光路長変更部および／または前記第２光路長変更部を制御する条件制御部とを備える。
【発明の効果】
【０００９】
この発明によれば、ＯＣＴによる計測範囲の３次元的なずれを容易に把握することが可能である。
【図面の簡単な説明】
【００１０】
【図１】実施形態に係る眼科撮影装置の構成の一例を表す概略図である。
【図２】実施形態に係る眼科撮影装置の構成の一例を表す概略図である。
【図３】実施形態に係る眼科撮影装置の構成の一例を表す概略図である。
【図４Ａ】実施形態に係る眼科撮影装置の動作を説明するための概略図である。
【図４Ｂ】実施形態に係る眼科撮影装置の動作を説明するための概略図である。
【図４Ｃ】実施形態に係る眼科撮影装置の動作を説明するための概略図である。
【図４Ｄ】実施形態に係る眼科撮影装置の動作を説明するための概略図である。
【図４Ｅ】実施形態に係る眼科撮影装置の動作を説明するための概略図である。
【図５】実施形態に係る眼科撮影装置の動作を説明するための概略図である。
【発明を実施するための形態】
【００１１】
この発明の実施形態の一例について、図面を参照しながら詳細に説明する。この発明に係る眼科撮影装置は、被検眼の光コヒーレンストモグラフィ（ＯＣＴ）を実行する。このＯＣＴは、たとえば眼底や前眼部など、被検眼の任意の部位に対して実行される。
【００１２】
この明細書では、ＯＣＴによって取得される画像をＯＣＴ画像と総称することがある。また、この明細書において引用された文献の記載内容を、以下の実施形態の内容として援用することが可能である。
【００１３】
以下の実施形態では、フーリエドメインタイプのＯＣＴを実行可能な眼科撮影装置について説明する。特に、実施形態に係る眼科撮影装置は、スウェプトソースタイプのＯＣＴの手法を適用可能である。なお、スウェプトソースタイプ以外のタイプ、たとえばスペクトラルドメインタイプのＯＣＴを実行可能な眼科撮影装置に対して、この発明に係る構成を適用することも可能である。また、以下の実施形態ではＯＣＴ装置と眼底カメラとを組み合わせた装置について説明するが、眼底カメラ以外のモダリティ、たとえばＳＬＯ（Ｓｃａｎｎｉｎｇ  Ｌａｓｅｒ  Ｏｐｈｔｈａｌｍｏｓｃｏｐｅ）、スリットランプ、眼科手術用顕微鏡などに、実施形態に係る構成を有するＯＣＴ装置を組み合わせることも可能である。また、実施形態に係る構成を、単体のＯＣＴ装置に組み込むことも可能である。
【００１４】
［構成］
図１に示すように、眼科撮影装置１は、眼底カメラユニット２、ＯＣＴユニット１００および演算制御ユニット２００を含んで構成される。眼底カメラユニット２は、従来の眼底カメラとほぼ同様の光学系を有する。ＯＣＴユニット１００には、ＯＣＴを実行するための光学系が設けられている。演算制御ユニット２００は、各種の演算処理や制御処理等を実行するコンピュータを具備している。
【００１５】
〔眼底カメラユニット〕
図１に示す眼底カメラユニット２には、被検眼Ｅの眼底Ｅｆの表面形態を表す２次元画像（眼底像）を取得するための光学系が設けられている。眼底像には、観察画像や撮影画像などが含まれる。観察画像は、たとえば、近赤外光を用いて所定のフレームレートで形成されるモノクロの動画像である。撮影画像は、たとえば、可視光をフラッシュ発光して得られるカラー画像、または近赤外光若しくは可視光を照明光として用いたモノクロの静止画像であってもよい。眼底カメラユニット２は、これら以外の画像、たとえばフルオレセイン蛍光画像やインドシアニングリーン蛍光画像や自発蛍光画像などを取得可能に構成されていてもよい。
【００１６】
眼底カメラユニット２には、被検者の顔を支持するための顎受けや額当てが設けられている。さらに、眼底カメラユニット２には、照明光学系１０と撮影光学系３０が設けられている。照明光学系１０は眼底Ｅｆに照明光を照射する。撮影光学系３０は、この照明光の眼底反射光を撮像装置（ＣＣＤイメージセンサ（単にＣＣＤと呼ぶことがある）３５、３８）に導く。また、撮影光学系３０は、ＯＣＴユニット１００からの測定光を被検眼Ｅに導くとともに、被検眼Ｅを経由した測定光をＯＣＴユニット１００に導く。
【００１７】
照明光学系１０の観察光源１１は、たとえばハロゲンランプまたはＬＥＤ（Ｌｉｇｈｔ  Ｅｍｉｔｔｉｎｇ  Ｄｉｏｄｅ）により構成される。観察光源１１から出力された光（観察照明光）は、曲面状の反射面を有する反射ミラー１２により反射され、集光レンズ１３を経由し、可視カットフィルタ１４を透過して近赤外光となる。さらに、観察照明光は、撮影光源１５の近傍にて一旦集束し、ミラー１６により反射され、リレーレンズ１７、１８、絞り１９およびリレーレンズ２０を経由する。そして、観察照明光は、孔開きミラー２１の周辺部（孔部の周囲の領域）にて反射され、ダイクロイックミラー４６を透過し、対物レンズ２２により屈折されて眼底Ｅｆを照明する。
【００１８】
観察照明光の眼底反射光は、対物レンズ２２により屈折され、ダイクロイックミラー４６を透過し、孔開きミラー２１の中心領域に形成された孔部を通過し、ダイクロイックミラー５５を透過し、合焦レンズ３１を経由し、ミラー３２により反射される。さらに、この眼底反射光は、ハーフミラー３３Ａを透過し、ダイクロイックミラー３３により反射され、集光レンズ３４によりＣＣＤイメージセンサ３５の受光面に結像される。ＣＣＤイメージセンサ３５は、たとえば所定のフレームレートで眼底反射光を検出する。表示装置３には、ＣＣＤイメージセンサ３５により検出された眼底反射光に基づく画像（観察画像）が表示される。なお、撮影光学系３０のピントが前眼部に合わせられている場合、被検眼Ｅの前眼部の観察画像が表示される。
【００１９】
撮影光源１５は、たとえばキセノンランプまたはＬＥＤにより構成される。撮影光源１５から出力された光（撮影照明光）は、観察照明光と同様の経路を通って眼底Ｅｆに照射される。撮影照明光の眼底反射光は、観察照明光のそれと同様の経路を通ってダイクロイックミラー３３まで導かれ、ダイクロイックミラー３３を透過し、ミラー３６により反射され、集光レンズ３７によりＣＣＤイメージセンサ３８の受光面に結像される。表示装置３には、ＣＣＤイメージセンサ３８により検出された眼底反射光に基づく画像（撮影画像）が表示される。なお、観察画像を表示する表示装置３と撮影画像を表示する表示装置３は、同一のものであってもよいし、異なるものであってもよい。また、被検眼Ｅを赤外光で照明して同様の撮影を行う場合には、赤外の撮影画像が表示される。また、撮影光源としてＬＥＤを用いることも可能である。
【００２０】
ＬＣＤ（Ｌｉｑｕｉｄ  Ｃｒｙｓｔａｌ  Ｄｉｓｐｌａｙ）３９は、固視標や視力測定用指標を表示する。固視標は被検眼Ｅを固視させるための指標であり、眼底撮影時やＯＣＴ時などに使用される。
【００２１】
ＬＣＤ３９から出力された光は、その一部がハーフミラー３３Ａにて反射され、ミラー３２に反射され、合焦レンズ３１およびダイクロイックミラー５５を経由し、孔開きミラー２１の孔部を通過し、ダイクロイックミラー４６を透過し、対物レンズ２２により屈折されて眼底Ｅｆに投影される。
【００２２】
ＬＣＤ３９の画面上における固視標の表示位置を変更することにより、被検眼Ｅの固視位置を変更できる。被検眼Ｅの固視位置としては、たとえば従来の眼底カメラと同様に、眼底Ｅｆの黄斑を中心とする画像を取得するための位置や、視神経乳頭を中心とする画像を取得するための位置や、黄斑と視神経乳頭との間の眼底中心を中心とする画像を取得するための位置などがある。また、固視標の表示位置を任意に変更することも可能である。
【００２３】
さらに、眼底カメラユニット２には、従来の眼底カメラと同様にアライメント光学系５０とフォーカス光学系６０が設けられている。アライメント光学系５０は、被検眼Ｅに対する装置光学系の位置合わせ（アライメント）を行うための指標（アライメント指標）を生成する。フォーカス光学系６０は、被検眼Ｅに対してフォーカス（ピント）を合わせるための指標（スプリット指標）を生成する。
【００２４】
アライメント光学系５０のＬＥＤ５１から出力された光（アライメント光）は、絞り５２、５３およびリレーレンズ５４を経由してダイクロイックミラー５５により反射され、孔開きミラー２１の孔部を通過し、ダイクロイックミラー４６を透過し、対物レンズ２２により被検眼Ｅの角膜に投影される。
【００２５】
アライメント光の角膜反射光は、対物レンズ２２、ダイクロイックミラー４６および上記孔部を経由し、その一部がダイクロイックミラー５５を透過し、合焦レンズ３１を通過し、ミラー３２により反射され、ハーフミラー３３Ａを透過し、ダイクロイックミラー３３に反射され、集光レンズ３４によりＣＣＤイメージセンサ３５の受光面に投影される。ＣＣＤイメージセンサ３５による受光像（アライメント指標）は、観察画像とともに表示装置３に表示される。ユーザは、従来の眼底カメラと同様の操作を行ってアライメントを実施する。また、演算制御ユニット２００がアライメント指標の位置を解析して光学系を移動させることによりアライメントを行ってもよい（オートアライメント機能）。
【００２６】
フォーカス調整を行う際には、照明光学系１０の光路上に反射棒６７の反射面が斜設される。フォーカス光学系６０のＬＥＤ６１から出力された光（フォーカス光）は、リレーレンズ６２を通過し、スプリット指標板６３により２つの光束に分離され、二孔絞り６４を通過し、ミラー６５に反射され、集光レンズ６６により反射棒６７の反射面に一旦結像されて反射される。さらに、フォーカス光は、リレーレンズ２０を経由し、孔開きミラー２１に反射され、ダイクロイックミラー４６を透過し、対物レンズ２２により屈折されて眼底Ｅｆに投影される。
【００２７】
フォーカス光の眼底反射光は、アライメント光の角膜反射光と同様の経路を通ってＣＣＤイメージセンサ３５により検出される。ＣＣＤイメージセンサ３５による受光像（スプリット指標）は、観察画像とともに表示装置３に表示される。演算制御ユニット２００は、従来と同様に、スプリット指標の位置を解析して合焦レンズ３１およびフォーカス光学系６０を移動させてピント合わせを行う（オートフォーカス機能）。また、スプリット指標を視認しつつ手動でピント合わせを行ってもよい。
【００２８】
ダイクロイックミラー４６は、眼底撮影用の光路からＯＣＴ用の光路を分岐させている。ダイクロイックミラー４６は、ＯＣＴに用いられる波長帯の光を反射し、眼底撮影用の光を透過させる。このＯＣＴ用の光路には、ＯＣＴユニット１００側から順に、コリメータレンズユニット４０と、光路長変更部４１と、バリアブルクロスシリンダーレンズ（以下、ＶＣＣレンズ）４７と、光スキャナ４２と、合焦レンズ４３と、ミラー４４と、リレーレンズ４５とが設けられている。
【００２９】
光路長変更部４１は、図１に示す矢印の方向に移動可能とされ、ＯＣＴ用の光路の光路長を変更する。この光路長の変更は、被検眼Ｅの眼軸長に応じた光路長の補正や、干渉状態の調整などに利用される。光路長変更部４１は、たとえばコーナーキューブと、これを移動する機構とを含んで構成される。
【００３０】
光スキャナ４２は、被検眼Ｅの瞳孔と光学的に共役な位置に配置されている。光スキャナ４２は、ＯＣＴ用の光路を通過する光（測定光ＬＳ）の進行方向を変更する。それにより、被検眼Ｅを測定光ＬＳで走査することができる。光スキャナ４２は、たとえば、測定光ＬＳをｘ方向に走査するガルバノミラーと、ｙ方向に走査するガルバノミラーと、これらを独立に駆動する機構とを含んで構成される。それにより、測定光ＬＳをｘｙ平面上の任意の方向に走査することができる。
【００３１】
〔ＯＣＴユニット〕
ＯＣＴユニット１００の構成の一例を図２に示す。ＯＣＴユニット１００には、被検眼ＥのＯＣＴ画像を取得するための光学系が設けられている。この光学系は、従来のスウェプトソースタイプのＯＣＴ装置と同様の構成を有する。すなわち、この光学系は、波長走査型（波長掃引型）光源からの光を測定光と参照光とに分割し、被検眼Ｅからの測定光の戻り光と参照光路を経由した参照光とを干渉させて干渉光を生成し、この干渉光を検出する干渉光学系である。干渉光学系による干渉光の検出結果（検出信号）は、干渉光のスペクトルを示す信号であり、演算制御ユニット２００に送られる。
【００３２】
光源ユニット１０１は、一般的なスウェプトソースタイプのＯＣＴ装置と同様に、出射光の波長を走査（掃引）可能な波長走査型（波長掃引型）光源を含んで構成される。光源ユニット１０１は、人眼では視認できない近赤外の波長帯において、出力波長を時間的に変化させる。
【００３３】
光源ユニット１０１から出力された光Ｌ０は、光ファイバ１０２により偏波コントローラ１０３に導かれてその偏光状態が調整される。偏波コントローラ１０３は、たとえばループ状にされた光ファイバ１０２に対して外部から応力を与えることで、光ファイバ１０２内を導かれる光Ｌ０の偏光状態を調整する。
【００３４】
偏波コントローラ１０３により偏光状態が調整された光Ｌ０は、光ファイバ１０４によりファイバカプラ１０５に導かれて測定光ＬＳと参照光ＬＲとに分割される。
【００３５】
参照光ＬＲは、光ファイバ１１０によりコリメータ１１１に導かれて平行光束となる。平行光束となった参照光ＬＲは、光路長補正部材１１２および分散補償部材１１３を経由し、コーナーキューブ１１４に導かれる。光路長補正部材１１２は、参照光ＬＲの光路長（光学距離）と測定光ＬＳの光路長とを合わせるための遅延手段として作用する。分散補償部材１１３は、参照光ＬＲと測定光ＬＳとの間の分散特性を合わせるための分散補償手段として作用する。
【００３６】
コーナーキューブ１１４は、コリメータ１１１により平行光束となった参照光ＬＲの進行方向を逆方向に折り返す。コーナーキューブ１１４に入射する参照光ＬＲの光路と、コーナーキューブ１１４から出射する参照光ＬＲの光路とは平行である。また、コーナーキューブ１１４は、参照光ＬＲの入射光路および出射光路に沿う方向に移動可能とされている。この移動により参照光ＬＲの光路の長さが変更される。
【００３７】
なお、図１および図２に示す構成においては、測定光ＬＳの光路（測定光路、測定アーム）の長さを変更するための光路長変更部４１と、参照光ＬＲの光路（参照光路、参照アーム）の長さを変更するためのコーナーキューブ１１４の双方が設けられているが、これらのうちのいずれか一方が設けられていてもよい。また、これら以外の光学部材を用いて、測定光路長と参照光路長との差を変更することも可能である。
【００３８】
コーナーキューブ１１４を経由した参照光ＬＲは、分散補償部材１１３および光路長補正部材１１２を経由し、コリメータ１１６によって平行光束から集束光束に変換されて光ファイバ１１７に入射し、偏波コントローラ１１８に導かれて参照光ＬＲの偏光状態が調整される。
【００３９】
偏波コントローラ１１８は、たとえば、偏波コントローラ１０３と同様の構成を有する。偏波コントローラ１１８により偏光状態が調整された参照光ＬＲは、光ファイバ１１９によりアッテネータ１２０に導かれて、演算制御ユニット２００の制御の下で光量が調整される。アッテネータ１２０により光量が調整された参照光ＬＲは、光ファイバ１２１によりファイバカプラ１２２に導かれる。
【００４０】
一方、ファイバカプラ１０５により生成された測定光ＬＳは、光ファイバ１２７により導かれ、コリメータレンズユニット４０により平行光束とされる。平行光束にされた測定光ＬＳは、光路長変更部４１、光スキャナ４２、合焦レンズ４３、ミラー４４、およびリレーレンズ４５を経由してダイクロイックミラー４６に到達する。そして、測定光ＬＳは、ダイクロイックミラー４６により反射され、対物レンズ２２により屈折されて被検眼Ｅに照射される。測定光ＬＳは、被検眼Ｅの様々な深さ位置において散乱（反射を含む）される。このような後方散乱光を含む測定光ＬＳの戻り光は、往路と同じ経路を逆向きに進行してファイバカプラ１０５に導かれ、光ファイバ１２８を経由してファイバカプラ１２２に到達する。
【００４１】
ファイバカプラ１２２は、光ファイバ１２８を介して入射された測定光ＬＳと、光ファイバ１２１を介して入射された参照光ＬＲとを合成して（干渉させて）干渉光を生成する。ファイバカプラ１２２は、所定の分岐比（たとえば１：１）で、測定光ＬＳと参照光ＬＲとの干渉光を分岐することにより、一対の干渉光ＬＣを生成する。ファイバカプラ１２２から出射した一対の干渉光ＬＣは、それぞれ光ファイバ１２３、１２４により検出器１２５に導かれる。
【００４２】
検出器１２５は、たとえば一対の干渉光ＬＣをそれぞれ検出する一対のフォトディテクタを有し、これらによる検出結果の差分を出力するバランスドフォトダイオード（Ｂａｌａｎｃｅｄ  Ｐｈｏｔｏ  Ｄｉｏｄｅ）である。検出器１２５は、その検出結果（検出信号）を演算制御ユニット２００に送る。演算制御ユニット２００は、たとえば一連の波長走査毎に（Ａライン毎に）、検出器１２５により得られた検出結果に基づくスペクトル分布にフーリエ変換等を施すことにより、各Ａラインにおける反射強度プロファイルを形成する。さらに、演算制御ユニット２００は、各Ａラインプロファイルを画像化することにより画像データを形成する。
【００４３】
この実施形態ではマイケルソン型の干渉光学系を採用しているが、たとえばマッハツェンダー型など任意のタイプの干渉光学系を採用することが可能である。
【００４４】
〔演算制御ユニット〕
演算制御ユニット２００の構成について説明する。演算制御ユニット２００は、検出器１２５から入力される検出信号を解析して被検眼ＥのＯＣＴ画像を形成する。そのための演算処理は、従来のスウェプトソースタイプのＯＣＴ装置と同様である。
【００４５】
また、演算制御ユニット２００は、眼底カメラユニット２、表示装置３およびＯＣＴユニット１００の各部を制御する。たとえば演算制御ユニット２００は、被検眼ＥのＯＣＴ画像を表示装置３に表示させる。
【００４６】
また、眼底カメラユニット２の制御として、演算制御ユニット２００は、観察光源１１、撮影光源１５およびＬＥＤ５１、６１の動作制御、ＬＣＤ３９の動作制御、合焦レンズ３１、４３の移動制御、反射棒６７の移動制御、フォーカス光学系６０の移動制御、光路長変更部４１の移動制御、光スキャナ４２の動作制御などを行う。
【００４７】
また、ＯＣＴユニット１００の制御として、演算制御ユニット２００は、光源ユニット１０１の動作制御、コーナーキューブ１１４の移動制御、検出器１２５の動作制御、アッテネータ１２０の動作制御、偏波コントローラ１０３、１１８の動作制御などを行う。
【００４８】
演算制御ユニット２００は、たとえば、従来のコンピュータと同様に、マイクロプロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクドライブ、通信インターフェイスなどを含んで構成される。ハードディスクドライブ等の記憶装置には、眼科撮影装置１を制御するためのコンピュータプログラムが記憶されている。演算制御ユニット２００は、各種の回路基板、たとえばＯＣＴ画像を形成するための回路基板を備えていてもよい。また、演算制御ユニット２００は、キーボードやマウス等の操作デバイス（入力デバイス）や、ＬＣＤ等の表示デバイスを備えていてもよい。
【００４９】
眼底カメラユニット２、表示装置３、ＯＣＴユニット１００および演算制御ユニット２００は、一体的に（つまり単一の筺体内に）構成されていてもよいし、２つ以上の筐体に別れて構成されていてもよい。
【００５０】
〔制御系〕
眼科撮影装置１の制御系の構成について図３を参照しつつ説明する。なお、図３においては、眼科撮影装置１のいくつかの構成要素が省略されており、この実施形態を説明するために特に必要な構成要素が選択的に示されている。
【００５１】
（制御部）
眼科撮影装置１の制御系は、制御部２１０を中心に構成される。制御部２１０は、たとえば、マイクロプロセッサ、ＲＡＭ、ＲＯＭ、ハードディスクドライブ、通信インターフェイス等を含んで構成される。制御部２１０には、主制御部２１１と記憶部２１２が設けられている。
【００５２】
（主制御部）
主制御部２１１は前述の各種制御を行う。特に、図３に示すように、主制御部２１１は、眼底カメラユニット２のＣＣＤイメージセンサ３５および３８、撮影合焦駆動部３１Ａ、光路長変更部４１、光スキャナ４２およびＯＣＴ合焦駆動部４３Ａ、並びに、ＯＣＴユニット１００の光源ユニット１０１、参照駆動部１１４Ａおよび検出器１２５を制御する。
【００５３】
撮影合焦駆動部３１Ａは、合焦レンズ３１を光軸方向に移動させる。それにより、撮影光学系３０の合焦位置が変更される。なお、主制御部２１１は、図示しない光学系駆動部を制御して、眼底カメラユニット２に設けられた光学系を３次元的に移動させることができる。この制御は、アライメントやトラッキングにおいて用いられる。トラッキングとは、被検眼Ｅの運動に合わせて装置光学系を移動させるものである。トラッキングを行う場合には、事前にアライメントとピント合わせが実行される。トラッキングは、被検眼Ｅを動画撮影して得られる画像に基づき被検眼Ｅの位置や向きに合わせて装置光学系をリアルタイムで移動させることにより、アライメントとピントが合った好適な位置関係を維持する機能である。
【００５４】
ＯＣＴ合焦駆動部４３Ａは、測定光路の光軸に沿って合焦レンズ４３を移動させる。それにより、測定光ＬＳの合焦位置が変更される。測定光ＬＳの合焦位置は、測定光ＬＳのビームウェストの深さ位置（ｚ位置）に相当する。
【００５５】
参照駆動部１１４Ａは、参照光路に設けられたコーナーキューブ１１４を移動させる。それにより、参照光路の長さが変更される。なお、前述したように、光路長変更部４１と、コーナーキューブ１１４および参照駆動部１１４Ａとのいずれか一方のみが設けられた構成であってもよい。
【００５６】
図３に示すように、主制御部２１１には、条件制御部２１１１と、表示制御部２１１２とが設けられている。
【００５７】
（条件制御部）
条件制御部２１１１は、ＯＣＴに関する条件の制御を行う。ＯＣＴに関する条件としては、測定光ＬＳのスキャンに関する条件（スキャン条件）や、測定光ＬＳのフォーカスに関する条件（フォーカス条件）、測定光ＬＳと参照光ＬＲとの干渉状態に関する条件（干渉条件）などがある。スキャン条件には、光スキャナ４２の制御に関するスキャンパターンやスキャン間隔などがある。スキャンパターンは、スキャンの形状を表す条件であり、その具体例として、線分状のラインスキャン、円形状のサークルスキャン、ラスタースキャンなどがある。フォーカス条件には、合焦レンズ４３（ＯＣＴ合焦駆動部４３Ａ）等の制御に関する測定光ＬＳの合焦位置などがある。干渉条件は、合焦レンズ４３（ＯＣＴ合焦駆動部４３Ａ）やコーナーキューブ１１４（参照駆動部１１４Ａ）や偏波コントローラ１１８やアッテネータ１２０の制御に関する。条件制御部２１１１は、設定された条件に基づいて制御を実行する。条件制御部２１１１は、「走査制御部」および「条件制御部」として機能する。なお、ＯＣＴに関する条件はこれらに限定されず、たとえば被検眼Ｅのディオプタに応じた視度補正などがある。
【００５８】
（表示制御部）
表示制御部２１１２は、各種の情報を表示部２４１に表示させる。表示制御部２１１２が実行する処理については後述する。
【００５９】
（記憶部）
記憶部２１２は、各種のデータを記憶する。記憶部２１２に記憶されるデータとしては、たとえば、ＯＣＴ画像の画像データ、眼底像の画像データ、被検眼情報などがある。被検眼情報は、患者ＩＤや氏名などの被検者に関する情報や、左眼／右眼の識別情報などの被検眼に関する情報を含む。また、記憶部２１２には、眼科撮影装置１を動作させるための各種プログラムやデータが記憶されている。
【００６０】
（画像形成部）
画像形成部２２０は、検出器１２５からの検出信号に基づいて、眼底Ｅｆの断面像の画像データを形成する。すなわち、画像形成部２２０は、干渉光学系による干渉光ＬＣの検出結果に基づいて被検眼Ｅの画像データを形成する。この処理には、従来のスウェプトソースタイプのＯＣＴと同様に、ノイズ除去（ノイズ低減）、フィルタ処理、ＦＦＴ（Ｆａｓｔ  Ｆｏｕｒｉｅｒ  Ｔｒａｎｓｆｏｒｍ）などの処理が含まれている。このようにして取得される画像データは、複数のＡライン（被検眼Ｅ内における各測定光ＬＳの経路）における反射強度プロファイルを画像化することにより形成された一群の画像データを含むデータセットである。
【００６１】
画質を向上させるために、同じパターンでのスキャンを複数回繰り返して収集された複数のデータセットを重ね合わせる（加算平均する）ことができる。
【００６２】
画像形成部２２０は、たとえば、前述の回路基板を含んで構成される。なお、この明細書では、「画像データ」と、それに基づく「画像」とを同一視することがある。また、被検眼Ｅの部位とその画像とを同一視することもある。
【００６３】
（データ処理部）
データ処理部２３０は、画像形成部２２０により形成されたＯＣＴ画像に対して各種のデータ処理（画像処理）や解析処理を施す。たとえば、データ処理部２３０は、画像の輝度補正や分散補正等の補正処理を実行する。また、データ処理部２３０は、眼底カメラユニット２により得られた画像（眼底像、前眼部像等）に対して各種の画像処理や解析処理を施す。
【００６４】
データ処理部２３０は、断面像の間の画素を補間する補間処理などの公知の画像処理を実行することにより、被検眼Ｅのボリュームデータ（ボクセルデータ）を形成することができる。ボリュームデータに基づく画像を表示させる場合、データ処理部２３０は、このボリュームデータに対してレンダリング処理を施して、特定の視線方向から見たときの擬似的な３次元画像を形成する。
【００６５】
データ処理部２３０は、眼底像とＯＣＴ画像との位置合わせを行うことができる。眼底像とＯＣＴ画像とが並行して取得される場合には、双方の光学系が同軸であることから、（ほぼ）同時に取得された眼底像とＯＣＴ画像とを、撮影光学系３０の光軸を基準として位置合わせすることができる。また、眼底像とＯＣＴ画像との取得タイミングに関わらず、ＯＣＴ画像のうち眼底Ｅｆの相当する画像領域の少なくとも一部をｘｙ平面に投影して得られる正面画像と、眼底像との位置合わせをすることにより、そのＯＣＴ画像とその眼底像とを位置合わせすることも可能である。この位置合わせ手法は、眼底像取得用の光学系とＯＣＴ用の光学系とが同軸でない場合においても適用可能である。また、双方の光学系が同軸でない場合であっても、双方の光学系の相対的な位置関係が既知であれば、この相対位置関係を参照して同軸の場合と同様の位置合わせを実行することが可能である。
【００６６】
以上のように機能するデータ処理部２３０は、たとえば、マイクロプロセッサ、ＲＡＭ、ＲＯＭ、ハードディスクドライブ、回路基板等を含んで構成される。ハードディスクドライブ等の記憶装置には、上記機能をマイクロプロセッサに実行させるコンピュータプログラムがあらかじめ格納されている。
【００６７】
（ユーザインターフェイス）
ユーザインターフェイス２４０には、表示部２４１と操作部２４２とが含まれる。表示部２４１は、前述した演算制御ユニット２００の表示デバイスや表示装置３を含んで構成される。操作部２４２は、前述した演算制御ユニット２００の操作デバイスを含んで構成される。操作部２４２には、眼科撮影装置１の筐体や外部に設けられた各種のボタンやキーが含まれていてもよい。また、表示部２４１は、眼底カメラユニット２の筺体に設けられたタッチパネルなどの各種表示デバイスを含んでいてもよい。
【００６８】
なお、表示部２４１と操作部２４２は、それぞれ個別のデバイスとして構成される必要はない。たとえばタッチパネルのように、表示機能と操作機能とが一体化されたデバイスを用いることも可能である。その場合、操作部２４２は、このタッチパネルとコンピュータプログラムとを含んで構成される。操作部２４２に対する操作内容は、電気信号として制御部２１０に入力される。また、表示部２４１に表示されたグラフィカルユーザインターフェイス（ＧＵＩ）と、操作部２４２とを用いて、操作や情報入力を行うようにしてもよい。
【００６９】
［動作例］
眼科撮影装置１の動作について説明する。
【００７０】
（ライブスキャンにおけるスキャンパターンに関する動作例）
ライブスキャンでは、同じスキャンパターンでのＯＣＴスキャンを繰り返し実行する。このとき、被検眼Ｅに対して固視標が提示される。それにより、実質的に一定の断面が繰り返しＯＣＴスキャンされ、それにより得られる当該断面の動画像をリアルタイムで表示することができる。
【００７１】
以下の動作例では、２つの走査線（第１走査線Ｌ１および第２走査線Ｌ２）からなるスキャンパターンが適用される。スキャン時には、第１走査線Ｌ１に沿う第１走査と、第２走査線Ｌ２に沿う第２走査とが交互に実行される。なお、「第１走査と第２走査とを交互に実行する」とは、１回の第１走査と１回の第２走査とを交互に実行する場合だけでなく、１回以上の第１走査と１回以上の第２走査とを交互に実行する場合も含む概念である。また、３以上の走査線からなるスキャンパターンが適用される場合、第１〜第３走査線を所定の順序で巡回的に実行する動作もこの概念に含まれる。
【００７２】
スキャンパターンの典型的な例を図４Ａ〜図４Ｅに示す。それぞれの矢印はスキャンの向きを示している。また、それぞれの矢印の長さはスキャンの長さを示している。
【００７３】
図４Ａに示すスキャンパターンは、水平方向（ｘ方向）に延びる線分状の第１走査線Ｌ１と、垂直方向（ｙ方向）に延びる線分状の第２走査線Ｌ２とからなる。第１走査線Ｌ１と第２走査線Ｌ２は、互いの中央位置で直交している。すなわち、図４Ａに示すスキャンパターンは、互いの中央位置にて直交する２つの線分状の走査線からなる十字型のスキャンパターンである。第１走査線Ｌ１と第２走査線Ｌ２との交差位置は、たとえば眼底Ｅｆの注目部位（黄斑（中心窩）、視神経乳頭等）に配置される。
【００７４】
図４Ｂに示すスキャンパターンは、水平方向に延びる線分状の第１走査線Ｌ１と、垂直方向に延びる線分状の第２走査線Ｌ２とからなる。第１走査線Ｌ１と第２走査線Ｌ２は、互いの中央位置以外の位置で直交している。一般に、第１走査線と第２走査線との交差位置は任意に設定可能である。
【００７５】
図４Ｃに示すスキャンパターンは、水平方向に延びる線分状の第１走査線Ｌ１と、垂直方向に延びる線分状の第２走査線Ｌ２とからなる。第１走査線Ｌ１と第２走査線Ｌ２は、互いに垂直であるが、交差はしていない。一般に、第１走査線と第２走査線との相対位置は任意に設定可能である。
【００７６】
図４Ｄに示すスキャンパターンは、斜め方向に延びる線分状の第１走査線Ｌ１と、垂直方向に延びる線分状の第２走査線Ｌ２とからなる。第１走査線Ｌ１と第２走査線Ｌ２は、互いに垂直以外の角度で交差している。一般に、第１走査線と第２走査線との相対角度は任意である。特に、第１走査線と第２走査線とが交差する場合、それらの交差角度は任意に設定可能である。
【００７７】
図４Ｅに示すスキャンパターンは、水平方向に延びる線分状の第１走査線Ｌ１と、垂直方向に延びる線分状の第２走査線Ｌ２とからなる。第１走査線Ｌ１と第２走査線Ｌ２は、互いの中央位置で直交している。第１走査線Ｌ１は第２走査線Ｌ２より短い。一般に、第１走査線の長さおよび第２走査線の長さは任意に設定可能である。
【００７８】
（表示に関する動作例）
情報の表示に関する一例を図５に示す。本例では、図４Ａに示すスキャンパターンが適用される場合について説明するが、他のスキャンパターンが適用される場合にも同様の表示処理を実行することが可能である。
【００７９】
図５に示す表示画面３００は、表示制御部２１１２により表示部２４１に表示される。表示画面３００には、第１動画像表示領域３０１と、第２動画像表示領域３０２と、正面画像表示領域３０３とが設けられている。
【００８０】
正面画像表示領域３０３には、眼底Ｅｆの観察画像Ｈが表示される。観察画像Ｈは、赤外動画像である。正面画像表示領域３０３にはさらに、第１走査線Ｌ１を表す画像（第１走査線画像）と、第２走査線Ｌ２を表す画像（第２走査線画像）とが表示される。第１走査線画像および第２走査線画像は、図５においてそれぞれ第１走査線Ｌ１および第２走査線Ｌ２と同じ符号で示されている。前述したように、本例では図４Ａに示す第１走査線Ｌ１および第２走査線Ｌ２からなるスキャンパターンが適用される。よって、図５に示す第１走査線画像Ｌ１および第２走査線画像Ｌ２は、互いの中央位置にて直交する２つの線分状の走査線である。第１走査線画像Ｌ１および第２走査線画像Ｌ２はそれぞれ矢印状の画像であり、それぞれ走査線Ｌ１および走査線Ｌ２におけるスキャンの方向を表している。また、本例では、第１走査線画像Ｌ１および第２走査線画像Ｌ２は観察画像Ｈ上に表示される。符号Ｒは、第１走査線画像Ｌ１および第２走査線画像Ｌ２により張られる２次元領域の外縁を示す。外縁Ｒは表示されてもよいし、表示されなくてもよい。
【００８１】
第１動画像表示領域３０１には、第１走査線Ｌ１を繰り返し走査することにより得られる動画像（第１動画像）Ｇ１が表示される。第２動画像表示領域３０２には、第２走査線Ｌ２を繰り返し走査することにより得られる動画像（第２動画像）Ｇ２が表示される。前述したように、本例では、第１走査線Ｌ１に沿う第１走査と、第２走査線Ｌ２に沿う第２走査とが交互に実行される。
【００８２】
表示制御部２１１２は、このような交互スキャンにおいて反復的に実行される第１走査により得られるデータから画像形成部２２０が逐次に形成する断面像を所定のフレームレート（たとえば、第１走査の反復レートに等しい、またはその整数倍）で第１動画像表示領域３０１に表示させることにより、第１動画像Ｇ１を表示させる。同様に、表示制御部２１１２は、交互スキャンにおいて反復的に実行される第２走査により得られるデータから画像形成部２２０が逐次に形成する断面像を所定のフレームレート（たとえば、第２走査の反復レートに等しい、またはその整数倍）で第２動画像表示領域３０２に表示させることにより、第２動画像Ｇ２を表示させる。
【００８３】
第１動画像表示領域３０１は、第１走査線Ｌ１（第１走査線画像Ｌ１）に対応する向きに配置されている。本例では、第１動画像表示領域３０１は矩形であり、その上辺および下辺の向きと第１走査線画像Ｌ１の向きとが一致している。つまり、図５において、第１走査線画像Ｌ１は左右方向に延びる線分（矢印）であり、第１動画像表示領域３０１の上辺および下辺は左右方向に延びている。なお、観察画像Ｈにおいて、左右方向がｘ方向に相当し、上下方向がｙ方向に相当する。また、第１動画像表示領域３０１において、上辺および下辺の向き（左右方向）がｘ方向に相当し、左辺および右辺（上下方向）がｚ方向に相当する。よって、観察画像Ｈ上に表示される第１走査線画像Ｌ１の向き（ｘ方向）と、第１動画像表示領域３０１に表示される第１動画像Ｇ１の断面の向き（ｘ方向）とが一致している。
【００８４】
同様に、第２動画像表示領域３０２は、第１走査線Ｌ２（第１走査線画像Ｌ２）に対応する向きに配置されている。本例では、第２動画像表示領域３０２は矩形であり、その左辺および右辺の向きと第２走査線画像Ｌ２の向きとが一致している。つまり、図５において、第２走査線画像Ｌ２は上下方向に延びる線分（矢印）であり、第２動画像表示領域３０２の左辺および右辺は上下方向に延びている。なお、上記のように、観察画像Ｈにおいて、左右方向がｘ方向に相当し、上下方向がｙ方向に相当する。また、第２動画像表示領域３０２において、左辺および右辺の向き（上下方向）がｙ方向に相当し、上辺および下辺（左右方向）がｚ方向に相当する。よって、観察画像Ｈ上に表示される第２走査線画像Ｌ２の向き（ｙ方向）と、第２動画像表示領域３０２に表示される第２動画像Ｇ２の断面の向き（ｙ方向）とが一致している。
【００８５】
また、第１走査線Ｌ１（第１走査線画像Ｌ１）と第１動画像Ｇ１との対応を表す情報（第１対応情報）と、第２走査線（第２走査線画像Ｌ２）と第２動画像Ｇ２との対応を表す情報（第２対応情報）とを表示させることができる。本例においては、第１および第２対応情報として表示色が用いられる。具体的には、表示制御部２１１２は、第１走査線画像Ｌ１と第１動画像Ｇ１の枠（第１動画像表示領域３０１の枠）とを第１色で表示させ、かつ、第２走査線画像Ｌ２と第２動画像Ｇ２の枠（第２動画像表示領域３０２の枠）とを第１色と異なる第２色で表示させる。
【００８６】
第１動画像表示領域３０１の左側には測定光ＬＳの合焦位置を表すマーカ３０４が設けられている。測定光ＬＳの合焦位置は、合焦レンズ４３の位置に対応する。合焦レンズ４３は、ＯＣＴ合焦駆動部４３Ａによって移動される。表示制御部２１１２は、現在の合焦レンズ４３の位置（つまり、ＯＣＴ合焦駆動部４３Ａに対する制御状態）に基づいてマーカ３０４を表示させる。なお、合焦位置はｚ方向に変化し、第１動画像表示領域３０１の左辺に沿う方向（上下方向）がｚ方向に相当する。よって、マーカ３０４の位置は、左辺に沿って変化する。
【００８７】
さらに、ユーザは、マーカ３０４を移動させることができる。そのための操作は、表示部２４１がタッチパネルの場合には所望の位置をタッチするタッチ操作により行われる。また、表示部２４１がタッチパネルでない場合には、ユーザは操作部２４２を操作する。この操作は、たとえば、所望の位置をクリックする操作、または、マーカ３０４をドラッグする操作である。マーカ３０４が移動されると、主制御部２１１は、移動後のマーカ３０４の位置に基づいてＯＣＴ合焦駆動部４３Ａを制御することで、移動後のマーカ３０４の位置に対応する位置に合焦レンズ４３を移動する。
【００８８】
なお、表示画面３００に設けられる領域は図５に示すものに限定されない。典型的な例として、被検者や被検眼Ｅに関する情報が表示される領域や、被検眼Ｅの前眼部像が表示される領域（前眼部像表示領域）や、各種のソフトウェアキーなどが表示画面３００に設けられていてよい。
【００８９】
前眼部像の表示およびそれに伴い実行される処理に関する例を説明する。本例に係る眼科撮影装置は、被検眼Ｅの前眼部の映像を取得するための一対のビデオカメラを備える。一対のビデオカメラは、前眼部を異なる方向から同時に撮影する。表示制御部２１１２は、第１のビデオカメラにより得られる映像の上半分の画像領域（上半領域）と、第２のビデオカメラにより得られる映像の下半分の画像領域（下半領域）とを上下に並べて前眼部像表示領域に表示させる。制御部２１０（またはデータ処理部２３０）は、上半領域および下半領域をそれぞれ解析することで特定部位（瞳孔、虹彩等）の画像（特定部位画像）を検出し、上半領域中の特定部位画像と下半領域中の特定部位画像との変位を算出し、この変位をキャンセルするように光学系（ＯＣＴ用光学系、眼底カメラ用光学系）を移動する。これにより、被検眼Ｅに対する光学系のアライメントを行うことができる。さらに、一対のビデオカメラにより逐次に取得されるフレームに基づいて上記処理をリアルタイムで繰り返し実行することで、被検眼Ｅの動きに光学系を追従させるトラッキングを実行しつつ、眼底ＥｆのＯＣＴや撮影や観察を行うことが可能である。
【００９０】
（その他の動作例）
本実施形態により実行可能な他の動作例を説明する。
【００９１】
設定されたスキャン位置を変更することができる。スキャン位置の変更は、手動または自動で行われる。手動操作の場合、ユーザは、観察画像Ｈ上の所望の位置をタッチする。或いは、ユーザは、操作部２４２を用いて所望の位置をタッチし、または、操作部２４２を用いて第１および第２走査線画像Ｌ１およびＬ２をドラッグする。一方、自動制御の場合、条件制御部２１１１（またはデータ処理部２３０）は、観察画像Ｈを解析して特定部位（黄斑、中心窩、視神経乳頭、血管、疾患部なと）の位置を特定し、この特定部位を通過するようにスキャン位置を設定する。このとき、たとえば、第１および第２走査線Ｌ１およびＬ２の交差位置を上記解析により特定部位に一致させるように、スキャン値が設定される。
【００９２】
スキャン位置の変更には、平行移動および回転移動の少なくとも一方が含まれる。このような移動において、第１走査線Ｌ１と第２走査線Ｌ２との相対位置は維持される。たとえば、図４Ａに示すスキャンパターンが適用される場合、平行移動および／または回転移動の前後において、第１走査線Ｌ１（第１走査線画像Ｌ１）および第２走査線Ｌ２（第２走査線画像Ｌ２）は、互いの中央位置において直交する。
【００９３】
このようなスキャン位置の移動制御は、条件制御部２１１１が、スキャン位置の変更内容（移動方向および移動量）に応じて第１走査線Ｌ１と第２走査線Ｌ２とを同じ方向に同じ量（同じ距離）だけ移動させるように、光スキャナ４２を制御するための設定を変更することにより実行される。
【００９４】
第１動画像Ｇ１および第２動画像Ｇ２の一方または双方に対し、ＯＣＴの条件の変更入力を行えるように構成されていてよい。ＯＣＴの条件の例として、前述した合焦位置の変更（たとえばマーカ３０４を用いる制御）がある。
【００９５】
他の例として、測定光ＬＳの光路長および／または参照光ＬＲの光路長がある。測定光ＬＳの光路長の変更は、光路長変更部４１を制御することにより行われる。参照光ＬＲの光路長の変更は、コーナーキューブ１１４（参照駆動部１１４Ａ）を制御することにより行われる。測定光ＬＳおよび／または参照光ＬＲの光路長が変更されると、測定光ＬＳと参照光ＬＲとの間の光路長差が変化し、その結果、第１動画像Ｌ１および第２動画像Ｇ２のフレームにおける眼底組織の描出位置がｚ方向に移動する。このような描出位置の変更入力は、たとえば、動画像上の所望の位置をタッチすることにより、またはマーカ３０４と同様のマーカを用いることにより行われる。或いは、条件制御部２１１１（またはデータ処理部２３０）が、眼底Ｅｆの特定部位（眼底表面、所定の層組織など）を特定し、この特定部位をフレームの所定のｚ位置に配置させるように制御を行うように構成することも可能である。なお、ＯＣＴの条件は以上に例示したものには限定されない。
【００９６】
上記の例では、２つの走査線（Ｌ１およびＬ２）に沿う２つの動画像（Ｇ１およびＧ２）がリアルタイムで表示される。しかし、３つ以上の走査線に沿う３つ以上の動画像を取得するように構成することも可能である。この場合、並行して取得される全ての動画像を並べて表示させることもできるが、表示スペースを考慮して一部の動画像を選択的に表示させるように構成することが可能である。この場合、３つ以上の走査線が巡回的にスキャンされる。さらに、表示制御部２１１２は、３つ以上の走査線により逐次に取得されるデータに基づく３つ以上の動画像のうちの２以上の動画像を並べて表示させる。
【００９７】
ユーザは、表示させる動画像を選択することができる。この選択操作は、たとえば、観察画像上に表示された３つ以上の走査線画像のうち所望のものを指定することにより実行される。また、いくつかの動画像が選択されたことに対応し、この動画像にあらかじめ対応付けられた他の動画像を自動で選択し、これら動画像を並べて表示させるように構成することができる。対応する動画像は、たとえば、先に選択された動画像の走査線に直交する走査線における動画像である。
【００９８】
［作用・効果］
この実施形態に係る眼科撮影装置のいくつかの作用および効果について説明する。
【００９９】
実施形態の眼科撮影装置は、ＯＣＴを用いて被検眼を走査することにより断面像を取得する。さらに、眼科撮影装置は、データ取得部と、表示制御部とを含む。
【０１００】
データ処理部は、被検眼における第１走査線（Ｌ１）に沿う第１走査と、第１走査線（Ｌ１）と向きが異なる第２走査線（Ｌ２）に沿う第２走査とを交互に実行してデータを取得する。データ取得部は、ＯＣＴ用の光学系を含む。上記実施形態において、ＯＣＴ用の光学系は、ＯＣＴユニット１００に含まれる光学系と、眼底カメラユニット２のうち測定光ＬＳの経路に配置された光学系とを含む。さらに、データ処理部は、ＯＣＴ用の光学系により取得されたデータを処理する構成要素を含んでいてよい。上記実施形態において、この構成要素は、少なくとも画像形成部２００を含む。
【０１０１】
表示制御部（２１１２）は、第１走査により逐次に取得されるデータに基づく第１動画像（Ｇ１）を第１走査線に対応する向きで表示手段に表示させる。さらに、表示制御部（２１１２）は、第２走査により逐次に取得されるデータに基づく第２動画像（Ｇ２）を第２走査線に対応する向きで第１動画像（Ｇ１）と並べて表示させる。
【０１０２】
表示手段は、眼科撮影装置に設けられていてもよいし（表示部２４１）、眼科撮影装置に接続された表示デバイスであってもよい。
【０１０３】
上記実施形態において、データ取得部によるデータの取得と、表示制御部による動画像の表示とは、並行して実行される。それにより、第１走査線に沿う断面を表す第１動画像と、第２走査線に沿う断面を表す第２動画像とをリアルタイムで観察することが可能である。
【０１０４】
このような実施形態によれば、向きが異なる２つ（以上）の断面を表す２つ（以上）の動画像を同時に観察することが可能である。すなわち、向きが異なる２つ（以上）の断面が２つ（以上）の動画像にどのように描出されているかを同時に把握することができる。したがって、ＯＣＴによる計測範囲の３次元的なずれを容易に把握することが可能である。なお、特許文献１に記載の技術では、深さ方向（ｚ方向）における計測範囲のずれしか容易に把握することができない。よって、実施形態の眼科撮影装置によれば、たとえば、動画像の観察の後に実行されるＯＣＴによる計測範囲を容易に最適化することが可能である。また、走査線の向きに対応する向きで動画像を表示させることで、２つ（以上）の走査線と２つ（以上）の動画像との対応関係を容易に把握できるとともに、動画像に描出されている組織断面がどのような向きであるかを容易に認識することが可能である。
【０１０５】
第１走査線および第２走査線を含むスキャンパターンは任意に設定可能である。たとえば次のような態様のスキャンパターンを適用可能である。第１の態様として、第１走査線（Ｌ１）と第２走査線（Ｌ２）とが交差しているスキャンパターンを適用することができる（たとえば図４Ａ、図４Ｂ、図４Ｄ、図４Ｅを参照）。第１の態様において、第１走査線（Ｌ１）と第２走査線（Ｌ２）は互いの中央位置で交差していてよい（たとえば図４Ａ、図４Ｅを参照）。第２の態様として、第１走査線（Ｌ１）および第２走査線（Ｌ２）のそれぞれは線分状であり、第１走査線（Ｌ１）と第２走査線（Ｌ２）とが互いに垂直であってよい（たとえば図４Ａ、図４Ｂ、図４Ｃ、図４Ｅを参照）。
【０１０６】
計測対象に応じてスキャンパターンを設定することができる。たとえば、計測モードや解析モードや固視位置などの条件と、スキャンパターンとをあらかじめ関連付けておき、設定された条件に対応するスキャンパターンを選択的に適用することが可能である。また、スキャンパターンのサイズを任意に変更可能に構成してもよい。
【０１０７】
実施形態の眼科撮影装置は、被検眼を撮影して正面画像を取得する撮影部を備えていてよい。上記実施形態において、撮影部は、眼底カメラユニット２に格納された眼底撮影用の光学系を含み、特に、観察画像（赤外動画像）を取得するための光学系を含む。表示制御部（２１１２）は、撮影部により取得された正面画像（Ｈ）を第１動画像（Ｇ１）および第２動画像（Ｇ２）と並べて表示させる。さらに、表示制御部（２１１２）は、第１走査線（Ｌ１）を表す第１走査線画像（Ｌ１）と、第２走査線（Ｌ２）を表す第２走査線画像（Ｌ２）とを正面画像（Ｈ）とともに表示させる。
【０１０８】
このような構成によれば、第１走査線および第２走査線が被検眼のどの部位に設定されているか容易に把握することができる。つまり、被検眼のどの部位をスキャンするか容易に把握することができる。さらに、このような情報を第１動画像および第２動画像に並べて表示させることで、被検眼のどの部位が実際にスキャンされているか把握しつつ、そのスキャンにより得られる２つ（以上）の動画像を観察することが可能である。
【０１０９】
実施形態において、表示制御部（２１１２）は、第１走査線（Ｌ１）と第１動画像（Ｇ１）との対応を表す第１対応情報と、第２走査線（Ｌ２）と第２動画像（Ｇ２）との対応を表す第２対応情報とを表示させることができる。第１対応情報および第２対応情報の例として表示色がある。たとえば、第１対応情報として、第１走査線画像（Ｌ１）と第１動画像（Ｇ１）の枠とを第１色で表示させ、かつ、第２対応情報として第２走査線画像（Ｌ２）と第２動画像（Ｇ２）の枠とを第１色と異なる第２色で表示させることができる。
【０１１０】
このような構成によれば、２つ（以上）の走査線と２つ（以上）の動画像との対応関係を容易に認識することが可能である。特に、表示色を用いて走査線と動画像とを対応付けることで、それらの対応関係を直感的に把握することができる。
【０１１１】
実施形態の眼科撮影装置は、第１操作部と、走査制御部とをさらに含んでいてよい。上記実施形態において、第１操作部は操作部２４２（ユーザインターフェイス２４０）を含み、走査制御部は条件操作部２１１１を含む。第１操作部は、被検眼の走査位置を変更するための操作に用いられる。走査制御部は、第１操作部を用いて走査位置が変更されたときに、その変更内容に応じて第１走査線（Ｌ１）および第２走査線（Ｌ２）を同じ方向に同じ量だけ移動させるようにデータ取得部を制御する。上記実施形態において、この制御は、光スキャナ４２の制御に相当する。
【０１１２】
このような構成によれば、被検眼をスキャンする位置を任意に変更したり調整したりすることが可能である。また、第１走査線と第２走査線とを同じ方向に同じ量だけ移動させるように構成されているので、第１走査線と第２走査線との相対位置を維持しつつ（つまりスキャンパターンを維持しつつ）走査位置を変更することが可能である。それにより、同じスキャンパターンで被検眼の所望の位置を所望の向きで走査することができる。なお、第１走査線と第２走査線との相対位置を変更可能に構成されてもよい。たとえば、一方の走査線を固定した状態で他方の走査線を移動するよう構成することができる。
【０１１３】
実施形態の眼科撮影装置は、第２操作部と、条件制御部とをさらに含んでいてよい。上記実施形態において、第２操作部は操作部２４２（ユーザインターフェイス２４０）を含み、条件制御部は条件操作部２１１１を含む。第２操作部は、第１動画像（Ｇ１）および／または第２動画像（Ｇ２）に対してＯＣＴの条件の変更入力を行うために用いられる。条件制御部は、第２操作部を用いてＯＣＴの条件が変更されたときに、その変更内容に応じてデータ取得部を制御する。上記実施形態において、この制御は、光路長変更部４１の制御、光スキャナ４２の制御、合焦レンズ４３（ＯＣＴ合焦駆動部４３Ａ）の制御、およびコーナーキューブ１１４（参照駆動部１１４Ａ）の制御のいずれかを含んでよい。なお、ＯＣＴの条件の制御はこれらに限定されない。たとえば、ＯＣＴに用いられる光の特性（たとえば波長）を変更するための光源ユニット１０１の制御を実行可能に構成してよい。
【０１１４】
実施形態において、データ取得部は、第１走査線（Ｌ１）および第２走査線（Ｌ２）を含む３以上の走査線に対する走査を巡回的に実行することができる。すなわち、適用されるスキャンパターンを構成する走査線の数は２つには限定されず３つ以上でもよい。表示制御部（２１１２）は、これら３以上の走査線により逐次に取得されるデータに基づく３以上の動画像のうちの２以上の動画像を並べて表示させることができる。２以上の動画像は、デフォルトで選択され、或いはユーザにより任意に選択できる。
【０１１５】
このような構成によれば、３以上の走査線に沿う３以上の動画像のうち２つ以上の動画像を同時に観察することができる。また、表示される動画像（走査線、断面）を変更したり、動画像の表示サイズを変更したり、表示される動画像の数を変更したりできるように構成してよい。それにより、被検眼を観察するための自由度の向上を図ることができる。
【０１１６】
［変形例］
以上に説明した構成は、この発明を好適に実施するための一例に過ぎない。よって、この発明の要旨の範囲内における任意の変形（省略、置換、付加等）を適宜に施すことが可能である。適用される構成は、たとえば目的に応じて選択される。また、適用される構成に応じ、当業者にとって自明の作用効果や、本明細書において説明された作用効果が得られる。
【０１１７】
上記の実施形態では、第１動画像を第１走査線に対応する向きで表示させ、かつ、第２動画像を第２走査線に対応する向きで表示させることにより、ユーザが第１動画像と第２動画像とを互いに識別できるように提示している。しかし、第１動画像と第２動画像とを互いに識別可能に提示するための構成はこれに限定されない。
【０１１８】
たとえば、第１動画像と第２動画像とを同じ向きで表示させるとともに、第１走査線と第１動画像との対応を表す第１対応情報と、第２走査線と第２動画像との対応を表す第２対応情報とを表示させることが可能である。この場合、第１対応情報は、第１走査線画像および第１動画像の枠の表示色（第１色）であってよく、かつ、第２対応情報は、第２走査線画像と第２動画像の枠の表示色（第２色）であってよい。
【０１１９】
このような実施形態によれば、ユーザは、第１動画像および第２動画像とともに提示される第１対応情報および第２対応情報により第１動画像と第２動画像とを容易に識別することができ、さらに、第１動画像が表す断面の向きと第２動画像が表す断面の向きとを容易に把握することができる。
【０１２０】
なお、第１対応情報および第２対応情報は表示色には限定されない。たとえば、走査線の向き（断面の向き）を表す文字列情報や画像情報を第１対応情報および／または第２対応情報として用いることが可能である。具体例として、走査線の向きを表す文字列「水平」や「垂直」を動画像上にまたは動画像の近傍に表示させることが可能である。他の例として、走査線の向きを表す矢印画像を動画像上にまたは動画像の近傍に表示させることが可能である。
【符号の説明】
【０１２１】
１  眼科撮影装置
２  眼底カメラユニット
１００  ＯＣＴユニット
２００  演算制御ユニット
２１０  制御部
２１１  主制御部
２１１１  条件制御部
２１１２  表示制御部
２２０  画像形成部
２３０  データ処理部
２４０  ユーザインターフェイス
２４１  表示部
２４２  操作部
Ｅ  被検眼
【図１】
2019177181.tif 000003
【図２】
2019177181.tif 000004
【図３】
2019177181.tif 000005
【図４Ａ】
2019177181.tif 000006
【図４Ｂ】
2019177181.tif 000007
【図４Ｃ】
2019177181.tif 000008
【図４Ｄ】
2019177181.tif 000009
【図４Ｅ】
2019177181.tif 000010
【図５】
2019177181.tif 000011